(57)【特許請求の範囲】
【請求項１】
フィルタユニットと、前記フィルタユニットが着脱可能なマスク面体とによって構成され、前記マスク面体が前記フィルタユニットを取り付け可能な横向きの円筒形を成すユニット取付部と、このユニット取付部の後方に連設する本体と、この本体の後方に位置して顔面を覆う顔面当接部と、この顔面当接部を顔面に密着させることができる着用手段とを備えているフィルタユニット付きのマスクにおいて、
前記本体は、前記ユニット取付部と一体的に連設して略球面状を成して前記マスクの着用者の顔面に向かって拡張する前方部を有し、前記前方部には前記ユニット取付部の上方部位における前端縁から前記顔面方向へ延びる上方前端部位が形成され、前記上方前端部位における前記前端縁近傍の表面であって前記マスク面体の幅を二等分する垂直方向中心線上に、前記フィルタユニットが適正に取り付けられた際に前記フィルタユニットに設けられたユニット側指標と符合する面体側指標が形成されるとともに、前記面体側指標と前記ユニット側指標とが前記フィルタユニットの取付方向である水平線に対して４５°〜９０°の角度を成していることを特徴とする前記マスク。
【請求項２】
前記前方部が、前記ユニット取付部の上方部分を覆っていることを特徴とする請求項１記載のマスク。
【請求項３】
前記フィルタユニットが、防毒用のものおよび防塵用のもののいずれか一方であることを特徴とする請求項１または２に記載のマスク。
【請求項４】
前記フィルタユニットは、前記面体に向かって拡径したテーパ状リブを有し、前記テーパ状リブと前記上方前端部位とが同一面上にあり、前記ユニット側指標が前記テーパ状リブに形成されている請求項１〜３のいずれかに記載のマスク。
【発明の詳細な説明】
【０００１】
【発明の属する技術分野】
この発明は、例えば防毒用や防塵用のフィルタユニットとそれを着脱することができるマスク面体とで構成されるマスクに関する。
【０００２】
【従来の技術】
従来、この種の防毒用や防塵用のフィルタ付きマスクのマスク面体は周知である。
【０００３】
この種の防毒用や防塵用のフィルタ付きマスクにおいては、その対象フィルタユニットを装着する際は、ユニットの嵌合用ねじ部をマスク面体のユニット取付部にねじ込むことにより行われている。
【０００４】
このユニットの嵌合は、ユニットを前記ユニット取付部にねじ込んで、このユニット取付部に設けられているシールパッキングに所要のシール圧力が加わった時点でねじ込みを終了することで達成される。
【０００５】
【発明が解決しようとする課題】
しかしながら、マスクの使用者にとって、前記所要のシール圧力を正しく認識することは、きわめて困難であった。
【０００６】
このため、従来このフィルタユニットの取付作業においては、前記ねじ込みが緩くシールが完全でなかったり、逆にねじ込みが強すぎてシールパッキングが外れたり、破損したりするということがあった。
【０００７】
本発明は、このような問題を解決することを課題としてなされたもので、その目的は、フィルタユニットと、そのフィルタユニットの取付を的確にかつ容易に行うことができるマスク面体とによって構成されるマスクを提供することにある。
【０００８】
【課題を解決するための手段】
前記課題を解決するために、この発明が対象とするものは、フィルタユニットと、前記フィルタユニットが着脱可能なマスク面体とによって構成され、前記マスク面体が前記フィルタユニットを取り付け可能な横向きの円筒形を成すユニット取付部と、このユニット取付部の後方に連設する本体と、この本体の後方に位置して顔面を覆う顔面当接部と、この顔面当接部を顔面に密着させることができる着用手段とを備えたフィルタユニット付きのマスクである。
【０００９】
かかるマスクにおいて、この発明が特徴とするところは、次のとおりである。前記本体は、前記ユニット取付部と一体的に連設して略球面状を成して前記マスク着用者の顔面に向かって拡張する前方部を有し、前記前方部には前記ユニット取付部の上方部位における前端縁から前記顔面方向へ延びる上方前端部位が形成され、前記上方前端部位における前記前端縁近傍の表面であって前記マスク面体の幅を二等分する垂直方向中心線上に、前記フィルタユニットが適正に取り付けられた際に前記フィルタユニットに設けられたユニット側指標と符合する面体側指標が形成されるとともに、前記面体側指標と前記ユニット側指標とが前記フィルタユニットの取付方向である水平線に対して４５°〜９０°の角度を成していることである。
【００１０】
本発明の好ましい実施態様の一つにおいて、前記前方部が、前記ユニット取付部の上方部分を覆っている。
【００１１】
本発明の好ましい実施態様の他の一つにおいて、前記フィルタユニットは、防毒用のものおよび防塵用のもののいずれか一方である。
本発明の好ましい実施態様のさらに他の一つにおいて、前記フィルタユニットは、前記面体に向かって拡径したテーパ状リブを有し、前記テーパ状リブと前記上方前端部位とが同一面上にあり、前記ユニット側指標が前記テーパ状リブに形成されている。
【００１２】
【発明の実施の形態】
以下に、本発明を、図面に示す実施の形態に基づいて詳細に説明する。
【００１３】
なお、この実施の形態は、本発明を防毒用フィルタと、それを取り付けたマスク面体とによって構成されるマスクに適用したものである。
【００１４】
図１は、この実施の形態のマスク面体に防毒用フィルタユニットを取り付けたマスクの斜視図である。図２は、前記マスク面体を一部破断した側面図であり、面体から取り外したフィルタユニットが仮想線で示されている。
【００１５】
図１に示すように、マスクＭは、前記フィルタユニットとして防毒用フィルタユニット１をマスク面体１０に取り付けて構成されている。
【００１６】
マスク面体１０は、フィルタユニット１を取り付けるユニット取付部１１と、ユニット取付部１１に一体的に連設する本体２０と、フィルタユニット１とユニット取付部１１との取付部をシールするシールパッキン３０（図２参照）と、着用手段としてのヘッドバンド４０とを備えている。
【００１７】
フィルタユニット１は、防毒用フィルタ２と、このフィルタ２を内包し前面および後面に格子状リブ３を有する環状枠体４と、この環状枠体４の後端から後方に突出し、その外周に雄ねじ５（図２参照）が刻設された筒状の螺嵌部６（図２参照）とからなる。このフィルタユニット１は、螺嵌部６を前記ユニット取付部１１に螺嵌することによりマスク面体１０に取り付けられる。
【００１８】
環状枠体４は、防毒用フィルタ２を内包する内部空間を形成する筒状側壁７を有し、この筒状側壁７の後端には全周に亘り面体１０に向かって拡径したテーパ状リブ８を有している。このテーパ状リブ８には、フィルタユニット１の適正な取付状態を視認できるように表示された頂角を面体１０に向けた二等辺三角形等のユニット側指標９が形成されている。
【００１９】
なお、このフィルタユニット１は、一般に防毒用吸収缶として市販されている周知のものにテーパ状リブ８とユニット側指標９とが形成されたものである。
【００２０】
ユニット取付部１１は、図２に示すように内部にフィルタユニット１を納める収納部１２を有するとともにこの収納部１２を形成する筒体部１３を有する。この筒体部１３の内周には雌ねじ１４が刻設されており、前記螺嵌部６の雄ねじ５をこの雌ねじ１４にねじ込むことによりフィルタユニット１が、ユニット取付部１１に螺嵌するようになっている。また、この収納部１２の後方には底部１５が形成されており、この底部１５には本体２０の内側につながる吸気孔１６が形成されている。さらに、この吸気孔１６には補強リブ１７が設けられ、補強リブ１７の内側には吸気用逆止弁１９が取り付けられている。底部１５の前方にはシールパッキング３０が装着されている。
【００２１】
本体２０は、呼吸に必要な空間を介して鼻部および口元を覆い、フィルタユニット１でろ過した清浄な空気を呼吸するためのものである。この本体２０は、図１、図２に示すようにユニット取付部１１と一体的に連設して略球面状を成してマスクＭの着用者の顔面に向かって拡張する前方部２１と、この前方部２１の後方側全周に取り付けられた後方部２２と、後方部２２の後方側全周を内方に曲げて形成した顔面当接部２３とからなっている。後方部２２と顔面当接部２３とは柔軟弾性材料で形成されている。
【００２２】
また、前方部２１の幅方向の両側面には、一対のバンドホルダ２４が形成されている。これらユニット取付部１１と、前方部２１と、一対のバンドホルダ２４とは、硬質合成樹脂で一体成型されている。
【００２３】
ユニット取付部１１と前方部２１とは、ユニット取付部１１の頂部を含む上方部分が、前方部２１で覆われる構造となっている。この上方部分においては、ユニット取付部１１を形成している筒状体１３の前端縁１８に前方部２１の前縁がつながり、前方部２１は、前端縁１８からマスク着用者の顔面に向かってひろがって筒状体１３を覆う上方前端部位２５を形成している。
【００２４】
上方前端部位２５の周方向両端では、その表面が徐々に変曲して図１に示すように略球面状の前方部２１と狭幅筒状のユニット取付部１１の筒状体１３とに分れている。
【００２５】
一対のバンドホルダ２４には、ヘッドバンド４０が取り付けられており、マスクＭを着用するときには、このヘッドバンド４０を頭部に掛け回して、顔面当接部２３を顔面に密着させる。これら一対のバンドホルダ２４と、ヘッドバンド４０とで着用手段を構成している。
【００２６】
前方部２１の下方部位には、呼気を排出するための逆止弁２７が設けられている。
【００２７】
ユニット取付部１１の頂部に対応するマスク面体１０の幅を二等分する垂直方向中心線上の上方前端部位２５には、頂角がフィルタユニット１に向いた二等辺三角形等の面体側指標２６が形成されている。そして、本体２０にほぼ水平方向前方から螺嵌するフィルタユニット１を回転させて、ユニット１におけるユニット側指標９の頂角ａが面体側指標２６の頂角Ａと符合するとフィルタユニット１が適正な取付状態になる。
【００２８】
また、面体側指標２６とユニット側指標９とが向かい合っていることを容易に視認可能にするために、この面体側指標２６が形成された上方前端部位２５は、面体側指標近傍における表面と水平線との角度θが４５°〜９０°を成している。
【００２９】
さらに、実用上視認性および装着性が良好な好ましい範囲は、４５°〜７０°である。この角度が４５°未満であると、視認性が不十分になり、また、７０°を超えると、鼻部の前方の呼吸に必要な空間を確保するための前方部２１の形状が特別になり設計および生産の工数が増す。
【００３０】
この範囲でもっとも好ましい角度θは６０°である。
【００３１】
本実施の形態では、この角度θが６０°となっているとともに、ユニット側指標９が形成されているテーパ状リブ８のテーパ角度αも６０°となっていて、上方前端部位２５とテーパ状リブ８とが同一面上にあって、これらの両指標９，２６がその面上において一直線状を成すように符合しており、視認性が最適な状態にある。
【００３２】
次に、防毒用のフィルタユニット１のマスク面体１０への取付方法を説明するとともにマスク面体１０の作用を説明する。
【００３３】
図２に仮想線で示したフィルタユニット１の螺嵌部６をユニット取付部１１の筒体部１３にねじ込んでフィルタユニット１をマスク面体１０に装着する。螺嵌部６の端部がシールパッキン３０に当接してから、ユニット側指標９が面体側指標２６に符合する位置まで螺嵌部６をねじ込むと、この位置でフィルタユニット１がシールパッキング３０を所要のシール圧力で加圧するようになっているので、フィルタユニット１をマスク面体１０に取り付けようとする者は、フィルタユニット１がマスク面体１０に適切に取り付けられたことを認識することができる。
【００３４】
しかも、ユニット側指標９と面体側指標２６とが、本体２０の水平方向と交わる角度θが６０°となっている面に形成されているので、例え水平方向からの視線であってもフィルタユニット１のマスク面体１０への取り付けの良否を極めて容易に視認することができる。
【００３５】
このように、マスクＭでは、フィルタユニット１のマスク面体１０への取り付けの良否が分かり易いので、フィルタユニット１をマスク面体１０に取り付けようとする者は、フィルタユニット１の取り付けを的確かつ容易に行うことができる。
【００３６】
ところで、従来のマスクでは、筒状体１３の後縁が面体本体２０の前方部２１の前縁に連接されていて筒状体１３全体が前方部２１の前に突き出ていたので、そのマスクを見る人にこの筒状体１３が出っ張って形成されているような印象を与えていた。この印象は、筒状体１３に取り付けられるフィルタユニット１が、特に吸着能力の向上と長時間の使用を可能にした高性能なもので図２の水平方向における厚さ方向の寸法が大きいものであると更に助長され、見る人にマスクの前部を実際以上に大きく感じさせていた。これに対して、本実施の形態のマスクＭは、前方部２１がユニット取付部１１の筒状体１３の上方部分を覆う構造となっているので、筒状体１３に取り付けたフィルタユニット１の後縁から前方部２１が直ちに略球面状を成してマスクＭ着用者の顔面に向かって滑らかに拡張し、見る人にマスクが前に出っ張っているという印象を与えないとともに従来のマスクより薄く感じさせるというデザイン上の利点を有する。
【００３７】
本実施の形態では、ユニット側指標９および面体側指標２６が水平線に対して６０°の角度θを有する面に形成されているが、本発明は、この例に限られるわけではなく、少なくとも面体側指標２６が４５°〜９０°の角度θを有する面上にあれば従来のマスクに比べて確実に視認性が改良される。また、両指標９，２６を、三角形状としたが、両指標９，２６の符合する状態が明確に視認できるものであれば、それら指標の形状は問わない。
【００３８】
本実施の形態では、面体側指標２６をユニット取付部１１の頂部近傍に形成するとともにユニット側指標９を面体側指標２６と符合するフィルタユニット１の部位に形成しているが、本発明は、この例に限られるわけではなく面体側指標２６を上方前端部位２５の任意の位置とするとともにこの任意の位置に対応したフィルタユニット１の部位に面体側指標２６と符合するユニット側指標９を形成することができる。
【００３９】
本実施の形態は、本発明を防毒用フィルタ付きマスクに適用したものであるが、本発明は防塵用フィルタ付きマスクにまったく同様に適用することができる。さらに本発明は、その他あらゆるフィルタ付きマスクに適用することができる。
【００４０】
【発明の効果】
この発明に係るマスクでは、フィルタユニットのマスク面体への取り付けが適正に成されたことを示す指標を設けるとともにその指標を視認しやすい角度を有する部位に設けたので、マスク面体に取り付けるフィルタユニットの取付状態の良否を容易に視認することができる。
【図面の簡単な説明】
【図１】  マスク面体に防毒用フィルタユニットを取り付けたマスクの斜視図。
【図２】  防毒用フィルタユニットを取り付けたマスク面体が一部破断した状態にあるマスクの側面図。
【符号の説明】
１      フィルタユニット
２      防毒用フィルタ
９      ユニット側指標
１０    マスク面体
１１    ユニット取付部
１８    前端縁
２０    本体
２１    前方部
２３    顔面当接部
２５    上方前端部位
２６    面体側指標
Ｍ      マスク
【図１】
0004210739.tif 000002
【図２】
0004210739.tif 000003